(57)【要約】【課題】振動に伴う金属弦の位置を忠実に反映させた信号波形を再現することができる弦振動検知センサ及びこれを用いた電気楽器用ピックアップ装置を提供すること。【解決手段】金属弦１１と、この金属弦１１から一定距離離間して配設された磁石１６と、上記金属弦１１と上記磁石１６との間に配設され、上記金属弦１１の振動に伴う上記磁石１６と上記金属弦１１との間の磁束の方向の変化を電気信号に変換する磁気抵抗効果素子１７０と、を具備することを特徴とする。【選択図】図２
2010266697.tif 000002
【特許請求の範囲】
【請求項１】
金属弦と、前記金属弦から一定距離離間して配設された磁石部材と、前記金属弦と前記磁石部材との間に配設され、前記金属弦の振動に伴う前記磁石部材と前記金属弦との間の磁束の方向の変化を電気信号に変換する磁気抵抗効果素子とを具備することを特徴とする弦振動検知センサ。
【請求項２】
前記磁石部材は、前記金属弦の延伸方向と直交する方向の両端に磁極を有し、前記磁気抵抗効果素子は、当該磁石部材の一方の磁極の近傍に配設されることを特徴とする請求項１記載の弦振動検知センサ。
【請求項３】
前記磁石部材の他方の磁極から、前記磁気抵抗効果素子による検知領域から離間した前記金属弦の位置の近傍まで延伸する磁性部材を具備することを特徴とする請求項２記載の弦振動検知センサ。
【請求項４】
請求項１から請求項３のいずれかに記載の弦振動検知センサを用いた電気楽器用ピックアップ装置。
【発明の詳細な説明】
【技術分野】
【０００１】
本発明は、弦振動検知センサ及びこれを用いた電気楽器用ピックアップ装置に関し、特に、金属弦の振動を電気信号に変換して取り出す弦振動検知センサ及びこれを用いた電気楽器用ピックアップ装置に関する。
【背景技術】
【０００２】
電気ギターなどの電気楽器においては、金属弦の振動を電気信号に変換する弦振動検知センサを用いたピックアップ装置がボディ部に装着されている。このような電気楽器のピックアップ装置において、従来、一定間隔を置いて対向させたヨークの下端部間に永久磁石を配設すると共に、ヨークの上端部間に、金属弦と対向する位置に磁気抵抗効果素子を配置した回路基板を挟持させ、金属弦を振動させることによりヨークの上端部と金属弦との間隔を変化させて、永久磁石による磁気回路を流れる磁束を変化させ、この磁束の変化を磁気抵抗効果素子により電気信号に変換して取り出すものが提案されている（例えば、特許文献１参照）。
【先行技術文献】
【特許文献】
【０００３】
【特許文献１】特開平６−１３０９６１号公報
【発明の概要】
【発明が解決しようとする課題】
【０００４】
しかしながら、上述した従来の弦振動検知センサを用いた電気楽器用ピックアップ装置においては、金属弦の振動に伴う磁束密度の変化（すなわち、磁束の大きさの変化）を磁気抵抗効果素子により検知する構成を採ることから、振動する金属弦の位置を正確に把握することができず、金属弦の位置を忠実に反映させた信号波形を再現することができないという問題がある。
【０００５】
本発明は、かかる問題点に鑑みてなされたものであり、振動に伴う金属弦の位置を忠実に反映させた信号波形を再現することができる弦振動検知センサ及びこれを用いた電気楽器用ピックアップ装置を提供することを目的とする。
【課題を解決するための手段】
【０００６】
本発明の弦振動検知センサは、金属弦と、前記金属弦から一定距離離間して配設された磁石部材と、前記金属弦と前記磁石部材との間に配設され、前記金属弦の振動に伴う前記磁石部材と前記金属弦との間の磁束の方向の変化を電気信号に変換する磁気抵抗効果素子とを具備することを特徴とする。
【０００７】
上記弦振動検知センサによれば、磁気抵抗効果素子により磁石部材からの磁束の方向の変化を電気信号に変換するようにしたことから、金属弦の位置に連動して変化する磁束の方向に応じた電気信号を出力することができるので、振動に伴う金属弦の位置を忠実に反映させた信号波形を再現することが可能となる。
【０００８】
上記弦振動検知センサにおいて、前記磁石部材は、前記金属弦の延伸方向と直交する方向の両端に磁極を有し、前記磁気抵抗効果素子は、当該磁石部材の一方の磁極の近傍に配設されることが好ましい。この場合には、金属弦の延伸方向と直交する方向の磁石部材の両端に磁極を有し、磁気抵抗効果素子を一方の磁極（例えば、Ｎ極）の近傍に配設したことから、磁石部材からの磁束を確実に磁気抵抗効果素子上に通過させることができ、より精度良く金属弦の位置に連動して変化する磁束の方向に応じた電気信号を出力することが可能となる。
【０００９】
上記弦振動検知センサにおいて、前記磁石部材の他方の磁極から、前記磁気抵抗効果素子による検知領域から離間した前記金属弦の位置の近傍まで延伸する磁性部材を具備することが好ましい。この場合には、磁石部材の一方の磁極側から金属弦に達した磁束を磁石部材の他方側の磁極に導くことができるので、磁束の通過経路を安定させることができ、より正確に磁気センサにおける磁束の方向の変化の検出精度を高めることが可能となる。
【００１０】
本発明の電気楽器用ピックアップ装置は、上記いずれかの弦振動センサを用いることを特徴とする。この電気楽器用ピックアップ装置によれば、上記いずれかの弦振動センサで得られる効果を得ることが可能である。
【発明の効果】
【００１１】
本発明によれば、磁気抵抗効果素子により磁石部材からの磁束の方向の変化を電気信号に変換するようにしたことから、金属弦の位置に連動して変化する磁束の方向に応じた電気信号を出力することができるので、振動に伴う金属弦の位置を忠実に反映させた信号波形を再現することが可能となる。
【図面の簡単な説明】
【００１２】
【図１】本発明の実施の形態１に係る電気楽器用ピックアップ装置の外観を示す斜視図である。
【図２】図１に示す電気楽器用ピックアップ装置から化粧シート及びケースの一部を取り除いた状態の斜視図である。
【図３】図２に示す電気楽器用ピックアップ装置の分解斜視図である。
【図４】実施の形態１に係る電気楽器用ピックアップ装置が有する磁気センサ周辺の正面図である。
【図５】実施の形態１に係る電気楽器用ピックアップ装置が有する磁気センサの磁気抵抗効果素子の構成を説明するための図である。
【図６】実施の形態１に係る電気楽器用ピックアップ装置が有する磁気センサにおける金属弦の振動と電気信号との関係を説明するための図である。
【図７】本発明の実施の形態２に係る電気楽器用ピックアップ装置の外観を示す斜視図である。
【図８】図７に示す電気楽器用ピックアップ装置からケースを取り除いた状態の斜視図である。
【図９】実施の形態２に係る電気楽器用ピックアップ装置が有する磁気センサ周辺の側断面図である。
【図１０】実施の形態２に係る電気楽器用ピックアップ装置が有する磁気センサ周辺の斜視図である。
【図１１】実施の形態２に係る電気楽器用ピックアップ装置が有する磁気センサにおける金属弦の振動と電気信号との関係を説明するための図である。
【発明を実施するための形態】
【００１３】
以下、本発明の実施の形態について添付図面を参照して詳細に説明する。なお、以下においては、本実施の形態に係る弦振動検知センサが電気楽器用ピックアップ装置（以下、「ピックアップ装置」という）に適用される場合について説明するが、これに限定されるものではなく、金属弦の振動を検知する任意の装置に適用することが可能である。また、以下においては、本実施の形態に係る弦振動検知センサを用いたピックアップ装置が電気ギターに適用される場合について説明するが、これに限定されるものではなく、電気ギター以外の金属弦を有する電気楽器（例えば、電気ベースなど）に適用することが可能である。
【００１４】
（実施の形態１）
図１は、本発明の実施の形態１に係るピックアップ装置１０の外観を示す斜視図である。図２は、図１に示すピックアップ装置１０から化粧シート及びケースの一部を取り除いた状態の斜視図である。図３は、図２に示すピックアップ装置１０の分解斜視図である。なお、図３においては、説明の便宜上、電気ギターの不図示のボディ部とネック部との間に張設される金属弦１１を省略している。以下においては、図１における金属弦１１側をピックアップ装置１０の上方側と呼び、不図示のボディ部側をピックアップ装置１０の下方側と呼ぶものとする。
【００１５】
実施の形態１に係るピックアップ装置１０は、電気ギターの不図示のボディ部とネック部との間に張設される金属弦１１に対向してボディ部の所定位置に装着される。図１に示すように、ピックアップ装置１０は、後述する回路基板１５や磁石１６を固定するケース１２と、このケース１２を電気ギターのボディ部に固定する固定部材１３と、ケース１２の上面に取り付けられる化粧シート１４とを備えて構成されている。ケース１２は、例えば、絶縁性の樹脂材料で成形され、組み合わされてその内部に回路基板等を収容する第１、第２ケース１２ａ、１２ｂとから構成される。第１、第２ケース１２ａ、１２ｂの側方側端部の突出部１２ｃ、１２ｄが固定部材１３の開口部１３ａ内に収容されることで、第１、第２ケース１２ａ、１２ｂが一体化され、電気ギターのボディ部に固定される。化粧シート１４は、ケース１２の上面に形成された凹部１２ｅ、１２ｆに貼付され、その上面には６本の金属弦１１に対応する位置にマークが設けられている。
【００１６】
ケース１２の内部には、図２及び図３に示すように、第１、第２ケース１２ａ、１２ｂの間に挟まれる位置に回路基板１５が配設されている。回路基板１５は、概して長方形の平板形状を有しており、その所定位置には６本の金属弦１１に対応する位置に６個の開口部１５１が形成されている（図３参照）。これらの開口部１５１は、上下方向に長手方向を配置した長方形状を有しており、第２ケース１２ｂの内壁部に設けられた磁石保持片１２１が挿通され、その先端部が僅かに露出するものとなっている。これらの磁石保持片１２１の先端部に、概して円柱形状を有する磁石１６が挟持され、磁石１６の周面が僅かに開口部１５１から露出するように構成されている（図２参照）。この場合、磁石１６は、その中心が回路基板１５の中心に配置された状態となっている。実施の形態１に係るピックアップ装置１０において、磁石１６は、その上端部がＮ極に着磁され、その下端部がＳ極に着磁されている。
【００１７】
回路基板１５における開口部１５１の上方側には、磁気センサ１７が実装される実装領域１５２が設けられている。磁気センサ１７は、この実装領域１５２に実装され、開口部１５１に配置された磁石１６の上端部と対向配置され、磁石１６と金属弦１１との間に発生する磁束の方向の変化を検知するものである。また、開口部１５１の側方側には、増幅ＩＣ１８が実装される実装領域１５３が設けられている。増幅ＩＣ１８は、この実装領域１５３に実装され、磁気センサ１７からの電気信号を増幅するものである。さらに、図３に示す最も左方側の開口部１５１の左方側には、磁気センサ１７からの電気信号を外部に出力する外部端子１９１を有する出力端子部材１９が実装される実装領域１５４が設けられている。出力端子部材１９は、この実装領域１５４に実装され、増幅ＩＣ１８で増幅された電気信号を電気ギターの制御部に出力可能に構成されている。
【００１８】
図４は、回路基板１５に実装された磁気センサ１７の周辺の正面図である。図４に示すように、磁気センサ１７は、回路基板１５の開口部１５１に配置された磁石１６の上方側に実装されており、その上方側には、一定距離だけ離間して金属弦１１が配置されている。このため、磁石１６の上端部、下端部がそれぞれＮ極、Ｓ極に着磁されている場合において、磁石１６からの磁束は、磁石１６の上端部から金属弦１１に向かい、磁石１６の下端部に戻るように構成されている。この場合、磁石１６からの磁束は、磁気センサ１７を通過するものとなっている。この場合において、金属弦１１が振動すると、図４の磁気センサ１７上に便宜上示したように、その金属弦１１の位置に応じて磁石１６からの磁束の方向（磁場の角度）が変化する。磁気センサ１７は、この磁束の方向の変化を検知する。特に、実施の形態１に係るピックアップ装置１０においては、磁石１６の磁極の配列方向（図４に示す上下方向）に対して直交する方向（図４に示す左右方向）に振動する金属弦１１に応じた磁束の方向の変化を効果的に検知する。
【００１９】
ここで、実施の形態１に係るピックアップ装置１０の磁気センサ１７の構成について説明する。磁気センサ１７は、磁束の方向の変化を電気信号に変換する４つの磁気抵抗効果素子１７０を組み合わせたブリッジ回路で構成されている。図５は、磁気センサ１７の磁気抵抗効果素子１７０の構成を説明するための図である。磁気に感応して電気信号を出力する磁気抵抗効果素子１７０は、基本的構成として図５に示すように、交換バイアス層（反強磁性体層）１７１と、固定層（ピン止め磁性層）１７２と、非磁性層１７３と、自由層（フリー磁性層）１７４とを回路基板１５上に積層して形成されており、巨大磁気抵抗効果を利用したＧＭＲ（Giant Magneto Resistance）素子の一種である磁気抵抗効果素子として構成されている。
【００２０】
磁気抵抗効果素子１７０が巨大磁気抵抗効果（ＧＭＲ）を発揮するためには、例えば交換バイアス層１７１がα−Ｆｅ２Ｏ３層、固定層１７２がＮｉＦｅ層、非磁性層１７３がＣｕ層、自由層１７４がＮｉＦｅ層から形成されるが、これらのものに限定されるものではなく、巨大磁気抵抗効果（ＧＭＲ）を発揮するものであれば、いずれのものであってもよい。また、磁気抵抗効果素子１７０は、巨大磁気抵抗効果（ＧＭＲ）を発揮するものであれば、上記の積層構造のものに限定されるものではない。
【００２１】
図５に示す磁気抵抗効果素子１７０の固定層１７２は、交換バイアス層１７１で磁化され、この交換バイアス層１７１によって磁化方向が特定方向に固定（ピン止め）されている。自由層１７４は、外部磁界の向きによって、固定層１７２の磁化方向に対する磁化方向が変化する。磁気抵抗効果素子１７０の両端には端子層１７５が接合形成されている。そして、固定層１７２の固定された磁化方向に対して、外部磁界の向きにより自由層１７４の磁化方向が変化することにより、２つの端子層１７５間での電気抵抗値の変化が電気信号として出力されるものとなっている。
【００２２】
図６は、実施の形態１に係るピックアップ装置１０の磁気抵抗効果素子１７０が接続されるブリッジ回路における金属弦１１の振動と電気信号との関係を説明するための図である。図６においては、縦軸に出力電圧を示す一方、横軸に磁石１６から金属弦１１に対して発生する磁場であって、磁気センサ１７上を通過する磁場の角度（以下、適宜「磁場角度」という）を示している。図６に示す磁場角度においては、金属弦１１が振動していない状態を１８０°としている。実施の形態１に係るピックアップ装置１０においては、金属弦１１の振動に応じた磁場角度の変化を検知し、より具体的には、その磁気抵抗効果素子１７０により磁場角度の変化を電気信号に変換するものとなっている。
【００２３】
説明を簡略化するために金属弦１１における１ｍｍの範囲の振動に限定して出力される電気信号について説明する。図６に示すように、実施の形態１に係るピックアップ装置１０においては、金属弦１１の振動１ｍｍに対して磁石１６からの磁場角度が約１７５°から約１８５°の範囲（約１０°の範囲）で変化するように構成されている。この場合、磁気センサ１７から出力される電気信号（電圧信号）は、約２５ｍＶから約−２５ｍＶの範囲（約５０ｍＶ）の範囲で変化する。この場合において、磁石１６からの磁場角度は、金属弦１１の位置に連動して変化し、これに応じて電気信号も変化するものとなっている。
【００２４】
このように実施の形態１に係る弦振動検知センサとしてのピックアップ装置１０においては、磁気抵抗効果素子１７０を有する磁気センサ１７により磁石１６からの磁束の方向（磁場角度）の変化を電気信号に変換するようにしたことから、金属弦１１の位置に連動して変化する磁束の方向（磁場角度）に応じた電気信号を出力することができるので、振動に伴う金属弦１１の位置を忠実に反映させた信号波形を再現することが可能となる。
【００２５】
また、実施の形態１に係る弦振動検知センサとしてのピックアップ装置１０においては、金属弦１１の延伸方向と直交する方向の磁石１６の両端に磁極を有し、磁気センサ１７を一方の磁極（ここでは、Ｎ極）の近傍に配設したことから、磁石１６からの磁束を確実に磁気センサ１７上を通過させることができ、より精度良く金属弦１１の位置に連動して変化する磁場角度に応じた電気信号を出力することが可能となる。
【００２６】
（実施の形態２）
実施の形態１に係るピックアップ装置１０においては、磁石１６の上方側近傍に磁気センサ１７を配置すると共に、この磁気センサ１７の上方側に一定距離だけ離間した位置に金属弦１１を張設することで、磁石１６からの磁束は、磁石１６の上端部から金属弦１１に向かった後、磁石１６の下端部に戻るように構成されている。実施の形態２に係るピックアップ装置２０においては、金属弦１１に達した磁束が磁石１６の下端部まで戻る経路を構成する磁性部材を備える点で実施の形態１に係るピックアップ装置１０と相違する。以下、実施の形態２に係るピックアップ装置２０の構成について、実施の形態１との相違点を中心に説明する。
【００２７】
図７は、本発明の実施の形態２に係るピックアップ装置２０の外観を示す斜視図である。図８は、図７に示すピックアップ装置２０からケースの一部を取り除いた状態の斜視図である。図９及び図１０は、それぞれ実施の形態２に係るピックアップ装置２０が有する磁気センサ１７周辺の側断面図及び斜視図である。なお、図７〜図１０に示す実施の形態２に係るピックアップ装置２０において、実施の形態１に係るピックアップ装置１０と共通する構成については、同一の符号を付し、その説明を省略するものとする。また、以下においては、図７における金属弦１１側をピックアップ装置２０の上方側と呼び、不図示のボディ部側をピックアップ装置２０の下方側と呼ぶものとする。
【００２８】
図７及び図８に示すように、実施の形態２に係るピックアップ装置２０は、装置の外形を構成するケース２１の構成において、実施の形態１に係るピックアップ装置１０と相違する。実施の形態１に係るピックアップ装置１０のケース１２が金属弦１１の張設方向に組み合わせられるのに対し、実施の形態２に係るピックアップ装置２０のケース２１は、ピックアップ装置２０の上下方向に組み合わされる構成を有している。ケース２１は、電気ギターのボディ部に固定される第１ケース２１ａと、この第１ケース２１ａの上方に重ねられる第２ケース２１ｂとから構成され、第２ケース２１ｂの内部には、第１ケース２１ａに重ねられた状態において回路基板１５や磁石１６を収容する空間が設けられている。なお、図８においては、図７に示すピックアップ装置２０から第２ケース２１ｂを取り除いた状態について示している。
【００２９】
図８に示すように、第２ケース２１ｂの内部には、回路基板１５が第１ケース２１ａに対して直交するように配置されている。回路基板１５の所定位置には、磁石１６が配置される長方形状の開口部１５１が設けられている。磁石１６は、この開口部１５１の上端部と、後述する磁性部材２３との間に挟持され、磁石１６の周面が僅かに開口部１５１から露出するように構成されている（図９参照）。実施の形態２に係るピックアップ装置２０において、磁石１６は、実施の形態１に係るピックアップ装置１０と同様に、その上端部がＮ極に着磁され、その下端部がＳ極に着磁されている。また、それぞれの開口部１５１の上方側には、磁気センサ１７が実装されており、所定の開口部１５１の下方側には、増幅ＩＣ１８が実装されている。なお、これらの磁気センサ１７及び増幅ＩＣ１８の構成は、実施の形態１に係るピックアップ装置１０と同様である。
【００３０】
第１ケース２１ａの上面には、それぞれの開口部１５１に対応する位置に一対の支持片２２ａ、２２ｂが立設されている。これらの支持片２２ａ、２２ｂは、短冊形状を有し、回路基板１５の表面と対向して第１ケース２１ａの縁部近傍に設けられている。これらの支持片２２ａ、２２ｂの上端部には、一方側の端部が開口部１５１に挿通された状態の磁性部材２３が載置されている。この磁性部材２３は、概してＬ字形状を有しており、その一端が支持片２２ａの上端部に載置され、その折り曲げ部２３ａが支持片２２ｂの上端部に載置され、その他端が金属弦１１の近傍まで延伸した状態となっている。なお、この金属弦１１の他端は、磁気センサ１７（磁気抵抗効果素子１７０）による検知領域から離間した金属弦１１の位置の近傍まで延伸するように構成されている。磁石１６は、このように開口部１５１に挿通された磁性部材２３の一端の近傍に載置され、開口部１５１の上端部との間で挟持された状態となっている。
【００３１】
ここで、実施の形態２に係るピックアップ装置２０における磁石１６から発生する磁束の通過経路について説明する。図９は、実施の形態２に係る電気楽器用ピックアップ装置が有する磁気センサ周辺の側断面図である。なお、図９においても、図８と同様に、第２ケース２１ｂを省略している。上述したように、実施の形態２に係るピックアップ装置２０においては、磁石１６の上端部がＮ極に着磁され、下端部がＳ極に着磁されていることから、磁石１６の上端部から発生した磁束は、金属弦１１に向かい、金属弦１１を通過して金属弦１１の近傍まで延出して配置された磁性部材２３を通って磁石１６の下端部に戻るように構成されている。金属弦１１が振動すると、図１０に示すように、その金属弦１１の位置に応じて磁石１６からの磁束の方向（磁場の角度）が変化する。磁気センサ１７は、この磁束の方向の変化を検知する。特に、実施の形態２に係るピックアップ装置２０においては、実施の形態１に係るピックアップ装置１０と同様に、磁石１６の磁極の配列方向に対して直交する方向に振動する金属弦１１に応じた磁束の方向の変化を効果的に検知する。
【００３２】
図１１は、実施の形態２に係るピックアップ装置２０の磁気抵抗効果素子１７０が接続されるブリッジ回路における金属弦１１の振動と電気信号との関係を説明するための図である。図１１においては、図６と同様に、縦軸に出力電圧を示す一方、横軸に磁石１６から金属弦１１に対して発生する磁場であって、磁気センサ１７上を通過する磁場角度を示している。また、図１１に示す磁場角度においては、金属弦１１が振動していない状態を１８０°としている。
【００３３】
図１１においても、図６と同様に、金属弦１１の１ｍｍの振動に限定して出力される電気信号について説明する。図１１に示すように、実施の形態２に係るピックアップ装置２０においては、金属弦１１の振動１ｍｍに対して磁石１６からの磁場角度が約１７５°から約１８５°の範囲（約１０°の範囲）で変化するように構成されている。磁気センサ１７から出力される電気信号（電圧信号）は、約２５ｍＶから約−２５ｍＶの範囲（約５０ｍＶ）の範囲で変化する。この場合において、磁石１６からの磁場角度は、金属弦１１の位置に連動して変化し、これに応じて電気信号も変化するものとなっている。
【００３４】
このように実施の形態２に係る弦振動検知センサとしてのピックアップ装置２０においても、磁気抵抗効果素子１７０を有する磁気センサ１７により磁石１６からの磁束の方向（磁場角度）の変化を電気信号に変換するようにしたことから、金属弦１１の位置に連動して変化する磁束の方向（磁場角度）に応じた電気信号を出力することができるので、振動に伴う金属弦１１の位置を忠実に反映させた信号波形を再現することが可能となる。
【００３５】
特に、実施の形態２に係る弦振動検知センサとしてのピックアップ装置２０においては、磁石１６の上端部から金属弦１１に達した磁束を磁石１６の下端部に導く磁性部材２３を備えるようにしたことから、磁束の通過経路を安定させることができ、より正確に磁気センサ１７における磁束の方向の変化の検出精度を高めることが可能となる。
【００３６】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００３７】
例えば、上記実施の形態においては、磁石１６の上端部をＮ極に着磁する一方、下端部をＳ極に着磁する場合について説明しているが、磁石１６の構成については、これに限定されるものではなく適宜変更が可能である。磁気センサ１７上を通過可能な磁束を発生することを条件として、磁石１６に形成される磁極を反対に着磁するようにしても良い。
【符号の説明】
【００３８】
１０、２０  電気楽器用ピックアップ装置（ピックアップ装置）
１１  金属弦
１２、２１  ケース
１２ａ、２１ａ  第１ケース
１２ｂ、２１ｂ  第２ケース
１２ｃ、１２ｄ  突出部
１２ｅ、１２ｆ  凹部
１２１  磁石保持片
１３  固定部材
１３ａ  開口部
１４  化粧シート
１５  回路基板
１５１  開口部
１５２、１５３、１５４  実装領域
１６  磁石
１７  磁気センサ
１７０  磁気抵抗効果素子
１７１  交換バイアス層（反強磁性体層）
１７２  固定層（ピン止め磁性層）
１７３  非磁性層
１７４  自由層（フリー磁性層）
１７５  端子層
１８  増幅ＩＣ
１９  出力端子部材
１９１  外部端子
２２ａ、２２ｂ  支持片
２３  磁性部材
【図１】
2010266697.tif 000003
【図２】
2010266697.tif 000004
【図３】
2010266697.tif 000005
【図４】
2010266697.tif 000006
【図５】
2010266697.tif 000007
【図６】
2010266697.tif 000008
【図７】
2010266697.tif 000009
【図８】
2010266697.tif 000010
【図９】
2010266697.tif 000011
【図１０】
2010266697.tif 000012
【図１１】
2010266697.tif 000013